(57)【要約】  本発明は、トラフィック量の変動に対応して、ネットワークの帯域容量を超えるトラフィック量を削減する制御装置等を提供する。その制御装置は、入力トラフィックに含まれる各フローにおける計測区間あたりの通信量を計測し、少なくとも、計測したフローごとの通信量および計測した時刻を表す情報を含むトラフィック情報を生成する情報解析部と、トラフィック情報に基づいて、計測区間ごとに、入力トラフィックにおける各フローの通信量の順位であるランキングを表すランキング情報を生成し、過去の複数のランキング情報の変化傾向に基づいて、ランキングが特定の方向に変化する傾向のフローを、通信量を削減する対象である削減対象フローとして選択する削減対象選択部と、削減対象フローに対して、通信量の削減処理を行うトラフィック制御部とを含む。
2016136215.tif 000002
【特許請求の範囲】
【請求項１】
入力トラフィックに含まれる各フローにおける計測区間あたりの通信量を計測する計測処理を行い、少なくとも、計測した前記フローごとの前記通信量および計測した時刻を表す情報を含むトラフィック情報を生成する情報解析手段と、
前記トラフィック情報に基づいて、前記計測区間ごとに、前記入力トラフィックにおける前記各フローの通信量の順位であるランキングを表すランキング情報を生成し、過去の複数の計測区間にわたるランキング情報の変化傾向に基づいて、前記ランキングが特定の方向に変化する傾向のフローを、通信量を削減する対象である削減対象フローとして選択する削減対象選択手段と、
前記削減対象フローに対して、通信量を削減する削減処理を行い、前記削減処理を行った前記削減対象フローを、前記入力トラフィックに含まれる他のフローと共に出力トラフィックとして送信するトラフィック制御手段と
を含む制御装置。
【請求項２】
前記削減対象選択手段は、前記ランキング情報の変化傾向として、過去の複数の計測区間におけるランキングの変化量を時間の変化量で割ることによって求められるランキング傾き情報を算出し、前記ランキング傾き情報に基づいて、前記削減対象フローを選択する
請求項１記載の制御装置。
【請求項３】
第１のネットワークから受信した前記入力トラフィックに含まれる前記フローごとに、少なくとも前記通信量を含む、各フローに関する情報を抽出し、抽出した前記各フローに関する情報を前記情報解析手段に対して出力する情報収集手段をさらに含み、
前記情報解析手段は、前記各フローに関する情報に基づいて、前記計測処理を行い、前記入力トラフィックの総通信量が所定の帯域しきい値を超えるか否かに基づいて、前記削減対象選択手段および前記トラフィック制御手段の動作の開始および終了を制御し、
前記削減対象選択手段は、前記削減処理によって削減された通信量が、前記総通信量と前記所定の帯域しきい値との差である帯域削減目標量に達するまで、新たな削減対象フローの追加を行い、
前記トラフィック制御手段は、前記削減対象選択手段が追加した前記新たな削減対象フローも、前記削減処理および前記出力トラフィックの対象として含め、第２のネットワークに対して、前記出力トラフィックの送信を行う
請求項１または２記載の制御装置。
【請求項４】
前記情報収集手段は、前記各フローに関する情報として、グループ化の指標となる情報である指標情報を加えて収集し、
前記情報解析手段は、前記指標情報に基づいて、前記各フローをフローグループにグループ分けし、前記トラフィック情報に前記フローグループを表すフローグループ情報を含めて生成し、
前記削減対象選択手段は、先に選択された前記削減対象フローのフローグループ情報に基づいて、前記新たな削減対象フローを選択する
請求項３記載の制御装置。
【請求項５】
前記情報収集手段は、前記指標情報として、コンテンツ種別を収集する
請求項４記載の制御装置。
【請求項６】
前記情報収集手段は、前記各フローに関する情報として、各フローの要求元に関する分類情報を加えて収集し、
前記削減対象選択手段は、前記ランキング情報の変化傾向として、過去の複数の計測区間におけるランキングの変化量を時間の変化量で割ることによって求められるランキング傾き情報を算出し、前記削減対象フローを選択する際に、前記分類情報に基づいて前記各フローを分類し、同じ分類に含まれるフローの前記ランキング傾き情報を集計した結果に基づいて、同じ分類に含まれるフローをまとめて前記削減対象フローとして選択する
請求項３乃至５のいずれか１つに記載の制御装置。
【請求項７】
入力トラフィックに含まれる各フローにおける計測区間あたりの通信量を計測する計測処理を行い、
少なくとも、計測した前記フローごとの前記通信量および計測した時刻を表す情報を含むトラフィック情報を生成し、
前記トラフィック情報に基づいて、前記計測区間ごとに、前記入力トラフィックにおける前記各フローの通信量の順位であるランキングを表すランキング情報を生成するランキング情報生成処理を行い、
過去の複数の計測区間にわたるランキング情報の変化傾向に基づいて、前記ランキングが特定の方向に変化する傾向のフローを、通信量を削減する対象である削減対象フローとして選択する選択処理を行い、
前記削減対象フローに対して、通信量を削減する削減処理を行い、
前記削減処理を行った前記削減対象フローを、前記入力トラフィックに含まれる他のフローと共に出力トラフィックとして送信する送信処理を行う
トラフィック制御方法。
【請求項８】
前記選択処理において、前記ランキング情報の変化傾向として、過去の複数の計測区間におけるランキングの変化量を時間の変化量で割ることによって求められるランキング傾き情報を算出し、前記ランキング傾き情報に基づいて、前記削減対象フローを選択する
請求項７記載のトラフィック制御方法。
【請求項９】
前記計測処理において、
第１のネットワークから受信した前記入力トラフィックに含まれる前記フローごとに、少なくとも前記通信量を含む、各フローに関する情報を抽出し、
抽出した前記各フローに関する情報に基づいて、前記各フローにおける計測区間あたりの通信量の計測を行い、
前記トラフィック情報の生成後に、前記入力トラフィックの総通信量が所定の帯域しきい値を超えるか否かに基づいて、前記ランキング情報生成処理から、前記削減処理までの処理の開始および終了を制御し、
前記送信処理の前に、前記削減処理によって削減された通信量が、前記総通信量と前記所定の帯域しきい値との差である帯域削減目標量に達するまで、新たな削減対象フローを選択する前記選択処理と、前記新たな削減対象フローも通信量の削減対象とする前記削減処理とを行い、
前記送信処理において、前記削減処理を行った前記新たな削減対象フローも含む前記出力トラフィックを、第２のネットワークに対して送信する
請求項７または８記載のトラフィック制御方法。
【請求項１０】
前記計測処理において、
前記各フローに関する情報として、グループ化の指標となる情報である指標情報を加えて収集し、
前記指標情報に基づいて、前記各フローをフローグループにグループ分けし、
前記トラフィック情報の生成の際に、前記トラフィック情報に前記フローグループを表すフローグループ情報を含めて生成し、
前記新たな削減対象フローを選択する選択処理において、
先に選択された前記削減対象フローのフローグループ情報に基づいて、前記新たな削減対象フローを選択する
請求項９記載のトラフィック制御方法。
【請求項１１】
前記計測処理において、前記指標情報として、コンテンツ種別を収集する
請求項１０記載のトラフィック制御方法。
【請求項１２】
前記計測処理において、前記各フローに関する情報として、各フローの要求元に関する分類情報を加えて収集し、
前記選択処理において、
前記ランキング情報の変化傾向として、過去の複数の計測区間におけるランキングの変化量を時間の変化量で割ることによって求められるランキング傾き情報を算出し、
前記分類情報に基づいて前記各フローを分類し、
同じ分類に含まれるフローの前記ランキング傾き情報を集計した結果に基づいて、同じ分類に含まれるフローをまとめて前記削減対象フローとして選択する
請求項９乃至１１のいずれか１つに記載のトラフィック制御方法。
【請求項１３】
入力トラフィックに含まれる各フローにおける計測区間あたりの通信量を計測する計測処理を行い、少なくとも、計測した前記フローごとの前記通信量および計測した時刻を表す情報を含むトラフィック情報を生成する情報解析処理と、
前記トラフィック情報に基づいて、前記計測区間ごとに、前記入力トラフィックにおける前記各フローの通信量の順位であるランキングを表すランキング情報を生成するランキング情報生成処理と、
過去の複数の計測区間にわたるランキング情報の変化傾向に基づいて、前記ランキングが特定の方向に変化する傾向のフローを、通信量を削減する対象である削減対象フローとして選択する選択処理と、
前記削減対象フローに対して、通信量を削減する削減処理と、
前記削減処理を行った前記削減対象フローを、前記入力トラフィックに含まれる他のフローと共に出力トラフィックとして送信する送信処理と
をコンピュータに実行させるコンピュータ・プログラムを記録する記録媒体。
【請求項１４】
前記選択処理において、前記ランキング情報の変化傾向として、過去の複数の計測区間におけるランキングの変化量を時間の変化量で割ることによって求められるランキング傾き情報を算出し、前記ランキング傾き情報に基づいて、前記削減対象フローの選択を行う
請求項１３記載のコンピュータ・プログラムを記録する記録媒体。
【請求項１５】
前記情報解析処理において、
第１のネットワークから受信した前記入力トラフィックに含まれる前記フローごとに、少なくとも前記通信量を含む、各フローに関する情報を抽出し、
抽出した前記各フローに関する情報に基づいて、前記計測処理を行い、
前記トラフィック情報の生成後に、前記入力トラフィックの総通信量が所定の帯域しきい値を超えるか否かに基づいて、前記ランキング情報生成処理から、前記削減処理までの処理の開始および終了を制御し、
前記送信処理の前に、前記削減処理によって削減された通信量が、前記総通信量と前記所定の帯域しきい値との差である帯域削減目標量に達するまで、新たな削減対象フローを選択する前記選択処理と、前記新たな削減対象フローも通信量の削減対象とする前記削減処理とを行い、
前記送信処理において、前記削減処理を行った前記新たな削減対象フローも含む前記出力トラフィックを、第２のネットワークに対して送信する
請求項１３または１４記載のコンピュータ・プログラムを記録する記録媒体。
【請求項１６】
前記情報解析処理において、
前記各フローに関する情報として、グループ化の指標となる情報である指標情報を加えて収集し、
前記指標情報に基づいて、前記各フローをフローグループにグループ分けし、
前記トラフィック情報の生成の際に、前記トラフィック情報に前記フローグループを表すフローグループ情報を含めて生成し、
前記新たな削減対象フローを選択する前記選択処理において、
先に選択された前記削減対象フローのフローグループ情報に基づいて、前記新たな削減対象フローを選択する
請求項１５記載のコンピュータ・プログラムを記録する記録媒体。
【請求項１７】
前記情報解析処理において、前記指標情報として、コンテンツ種別を収集する
請求項１６記載のコンピュータ・プログラムを記録する記録媒体。
【請求項１８】
前記情報解析処理において、前記各フローに関する情報として、各フローの要求元に関する分類情報を加えて収集し、
前記選択処理において、
前記ランキング情報の変化傾向として、過去の複数の計測区間におけるランキングの変化量を時間の変化量で割ることによって求められるランキング傾き情報を算出し、
前記分類情報に基づいて前記各フローを分類し、
同じ分類に含まれるフローの前記ランキング傾き情報を集計した結果に基づいて、同じ分類に含まれるフローをまとめて前記削減対象フローとして選択する
請求項１５乃至１７のいずれか１つに記載のコンピュータ・プログラムを記録する記録媒体。
【発明の詳細な説明】
【技術分野】
【０００１】
本発明は、情報処理装置（コンピュータ）を用いた通信システムにおけるトラフィックの制御装置に関する。
【背景技術】
【０００２】
ビデオ配信システムなどにおいて、特定の映像コンテンツへのアクセス増加などにより、ビデオ配信サーバと端末とを接続するネットワークにおける帯域容量の超過が発生することがある。このような帯域容量の超過の対策として、一部のトラフィックに対して帯域削減を行うことにより、全体のトラフィック量を削減する技術が知られている。【０００３】
例えば、特許文献１には、ネットワーク帯域の飽和に際して、帯域の飽和を回避する方法が開示されている。この特許文献１に記載された方法においては、少なくとも１つの犠牲ストリームのデータ量が、圧縮技術等を用いて削減される。特許文献１には、データ削減対象である犠牲ストリームを選択する方法の一つとして、最大のデータ量を有するストリームを選択する方法が例示されている。【０００４】
また、特許文献２には、ネットワークの輻輳を制御する方法が開示されている。この特許文献２に開示された方法においては、悪性フローのパケットに優先的に廃棄することを示すタグが付与される。悪性フローは、フローの持続時間または通信量などの特徴情報に応じて、特定される。【０００５】
また、特許文献３には、輻輳を制御する情報中継装置が開示されている。この特許文献３に記載された方法においては、情報中継装置が、契約帯域容量を超える通信を行う不正フローを制御する。情報中継装置は、パケット数のしきい値を超えたフローを不正フローとして選択する。
【先行技術文献】
【特許文献】
【０００６】
【特許文献１】特開２００９−２０１１０７号公報
【特許文献２】特開２００６−３１９７４７号公報
【特許文献３】特開２００５−２７７８０４号公報
【発明の概要】
【発明が解決しようとする課題】
【０００７】
しかしながら、特許文献１乃至３に開示された方法または情報中継装置においては、トラフィック量の変動に対する反応が遅いという問題がある。その理由は、現在の時点におけるトラフィック状態に基づいて帯域削減を行うからである。すなわち、これらの方法または情報中継装置は、トラフィック量が増加した結果が測定されてからネットワークの帯域削減の対処を行うので、トラフィック量の増加が急激な場合には帯域削減への対応が遅れてしまう。【０００８】
本発明の一つの目的は、上述したトラフィック量の変動に対する対応における問題を改善することにある。すなわち、本発明の一つの目的は、トラフィック量の変動に対するネットワークの帯域削減への対応の遅れを低減する制御装置などを提供することにある。
【課題を解決するための手段】
【０００９】
上記の目的を達成すべく、本発明の一態様に係る制御装置は、以下の構成を備えることを特徴とする。【００１０】
すなわち、本発明の一態様に係る制御装置は、
入力トラフィックに含まれる各フローにおける計測区間あたりの通信量を計測する計測処理を行い、少なくとも、計測した前記フローごとの前記通信量および計測した時刻を表す情報を含むトラフィック情報を生成する情報解析手段と、
前記トラフィック情報に基づいて、前記計測区間ごとに、前記入力トラフィックにおける前記各フローの通信量の順位であるランキングを表すランキング情報を生成し、過去の複数の計測区間にわたるランキング情報の変化傾向に基づいて、前記ランキングが特定の方向に変化する傾向のフローを、通信量を削減する対象である削減対象フローとして選択する削減対象選択手段と、
前記削減対象フローに対して、通信量を削減する削減処理を行い、前記削減処理を行った前記削減対象フローを、前記入力トラフィックに含まれる他のフローと共に出力トラフィックとして送信するトラフィック制御手段とを含む。【００１１】
また、上記の同目的を達成すべく、本発明の一態様に係るトラフィック制御方法は、情報処理装置によって、
入力トラフィックに含まれる各フローにおける計測区間あたりの通信量を計測する計測処理を行い、
少なくとも、計測した前記フローごとの前記通信量および計測した時刻を表す情報を含むトラフィック情報を生成し、
前記トラフィック情報に基づいて、前記計測区間ごとに、前記入力トラフィックにおける前記各フローの通信量の順位であるランキングを表すランキング情報を生成するランキング情報生成処理を行い、
過去の複数の計測区間にわたるランキング情報の変化傾向に基づいて、前記ランキングが特定の方向に変化する傾向のフローを、通信量を削減する対象である削減対象フローとして選択する選択処理を行い、
前記削減対象フローに対して、通信量を削減する削減処理を行い、
前記削減処理を行った前記削減対象フローを、前記入力トラフィックに含まれる他のフローと共に出力トラフィックとして送信する送信処理を行う。【００１２】
また、同目的は、上記の各構成を含む制御装置、並びに対応する方法を、コンピュータによって実現するコンピュータ・プログラム、およびそのコンピュータ・プログラムが格納されている、コンピュータ読み取り可能な記憶媒体によっても達成される。
【発明の効果】
【００１３】
本発明には、トラフィック量の変動に対して、ネットワークの帯域容量を超えるトラフィック量を、早期に削減することができるという効果がある。
【図面の簡単な説明】
【００１４】
【図１】本発明の第１の実施形態に係る制御装置１の構成を示すブロック図である。
【図２】本発明の第２の実施形態に係る通信システムにおける通信環境の一例を示す構成図である。
【図３】本発明の第２の実施形態に係るゲートウェイ（制御装置）１００の構成を示すブロック図である。
【図４】第２の実施形態におけるゲートウェイ（制御装置）１００の動作を示すフローチャートである。
【図５】第２の実施形態におけるランキングの推移とランキング傾きとの関係の一例を表す概念図である。
【図６】本発明の各実施形態、および、その変形例に係る制御装置および通信システムに適用可能なコンピュータ（情報処理装置）の構成を例示する図である。
【発明を実施するための形態】
【００１５】
次に、本発明の実施形態について図面を参照して詳細に説明する。
【００１６】
＜第１の実施形態＞
図１は、本発明の第１の実施形態に係る制御装置１の構成を示すブロック図である。図１を参照すると、本実施形態に係る制御装置１は、情報解析部２、削減対象選択部３、およびトラフィック制御部４を含む。制御装置１は、さらに、トラフィック情報を記憶することができる記憶装置を含んでもよい。記憶装置は、例えば、半導体メモリ装置やディスク装置により実現される。記憶装置は、制御装置１の外にある装置であってもよい。
【００１７】
制御装置１の各部は、専用のハードウェアデバイス、または論理回路によって構成されても良い。または、制御装置１は、ＣＰＵ（Ｃｅｎｔｒａｌ  Ｐｒｏｃｅｓｓｉｎｇ  Ｕｎｉｔ：図示せず）を用いて実行されるコンピュータ・プログラム（ソフトウェア・プログラム）の制御により動作する一般的な情報処理装置（コンピュータ）によって構成されても良い。なお、この制御装置１をコンピュータによって実現したハードウェア構成例については、図６を参照して後述する。
【００１８】
情報解析部２は、入力トラフィック１０に含まれる各トラフィックフロー（以下、単に「フロー」とも言う）における計測区間（単位時間）あたりの通信量を計測する。そして、情報解析部２は、少なくとも、計測した各フローの通信量および計測した時刻を表す情報を含むトラフィック情報を生成する。情報解析部２は、トラフィック情報を記憶装置に格納してもよい。
【００１９】
削減対象選択部３は、トラフィック情報に基づいて、計測区間ごとに、入力トラフィック１０における、各フローの通信量の順位（ランキング）を表すランキング情報を生成する。さらに、削減対象選択部３は、過去の複数の計測区間にわたるランキング情報の変化傾向（推移）に基づいて、ランキングが特定の方向に変化する傾向のフローを、トラフィック（通信量）を削減する対象のフロー（以下、「削減対象フロー」と言う）として選択する。
【００２０】
トラフィック制御部４は、選択された削減対象フローに対して、帯域削減処理（通信量の削減処理）を行う。帯域削減処理の方法は、トランスコーディングなどの一般的な技法を採用することができる。そして、トラフィック制御部４は、帯域削減処理後の削減対象フローを、入力トラフィック１０に含まれる他のフローと共に、出力トラフィック１１として出力する。
【００２１】
削減対象選択部３およびトラフィック制御部４は、出力トラフィック１１が、所定のネットワークの帯域容量以下になるまで、上記の動作を行う。
【００２２】
以上説明したように、本実施形態によれば、トラフィック量の変動に対して、ネットワークの帯域容量を超えるトラフィック量を、早期に削減することができるという効果がある。
【００２３】
その理由は、削減対象選択部３が、通信量のランキング情報が特定の方向に変化する傾向にあるフローを、トラフィックを削減する削減対象フローとして選択するからである。
【００２４】
例えば、削減対象選択部３が、通信量が多いほど、順位が上昇するランキング情報を生成する場合ならば、削減対象選択部３は、ランキング情報が上昇傾向のフローを削減対象フローとして選択することができる。したがって、削減対象選択部３は、通信量が最大になる前、すなわち、ランキングが最上位になる前に、ランキングの推移が上昇傾向を示した時点で削減対象フローとして選択することが可能となる。すなわち、本実施形態は、あるフローの通信量の順位が最大となるまで待ってから、トラフィックの削減対象とする場合より早期に、通信量が増大するフローに対するトラフィック制御を開始することができる。これにより、本実施形態は、変動するアクセス状況に応じてきめ細かい効率的な帯域削減を実現することができる。なお、本実施形態は、通信量が多いほど、ランキングが下降することとした場合においても、同様の制御を行うことが可能である。
【００２５】
＜第２の実施形態＞
次に、上述した第１の実施形態を基本とする第２の実施形態について説明する。以下では、第２の実施形態に係る特徴的な部分を中心に説明し、第１の実施形態と同様な構成を有する第２の実施形態の構成要素には、第１の実施形態で付した参照符号と同一の参照符号を付し、その構成要素について重複する詳細な説明は省略する。
【００２６】
本実施形態は、一例として、ビデオコンテンツの配信が行われる通信システムにおいて、本発明を適用した場合を説明する。
【００２７】
まず、図２を参照して、以下に本実施形態の構成を説明する。図２は、本発明の第２の実施形態に係る通信システムにおける通信環境の一例を示す構成図である。図２を参照すると、本実施形態は、ゲートウェイ１００、端末２００ａ〜２００ｄ（以下、２００ａ〜ｄと記載）、無線基地局３００ａ〜３００ｂ（以下、３００ａ〜ｂと記載）、およびビデオ配信サーバ４００ａ〜４００ｂ（以下、４００ａ〜ｂと記載）を含む。ゲートウェイ１００は、後述されるように第１の実施形態における制御装置１の構成を含む。
【００２８】
ゲートウェイ１００、端末２００ａ〜ｄ、およびビデオ配信サーバ４００ａ〜ｂの各部は、専用のハードウェアデバイス、または論理回路によって構成されても良い。または、ゲートウェイ１００、端末２００ａ〜ｄ、およびビデオ配信サーバ４００ａ〜ｂは、ＣＰＵ（Ｃｅｎｔｒａｌ  Ｐｒｏｃｅｓｓｉｎｇ  Ｕｎｉｔ：図示せず）を用いて実行されるコンピュータ・プログラム（ソフトウェア・プログラム）の制御により動作する一般的な情報処理装置（コンピュータ）によって構成されても良い。なお、このゲートウェイ１００、端末２００ａ〜ｄ、およびビデオ配信サーバ４００ａ〜ｂをコンピュータによって実現したハードウェア構成例については、図６を参照して後述する。
【００２９】
ゲートウェイ１００は、インターネット（第１のネットワーク）１００２と、コアネットワーク（第２のネットワーク）１００１とを接続する。コアネットワーク１００１には、複数の端末２００ａ〜ｄが、無線基地局３００ａ〜ｂを介して接続されている。一方、インターネット１００２には、ビデオコンテンツを配信するビデオ配信サーバ４００ａ〜ｂが接続されている。端末２００ａ〜ｄは、コアネットワーク１００１、およびインターネット１００２を経由して、ビデオ配信サーバ４００ａ〜ｂに対し、ビデオ配信要求を送信する。ビデオ配信サーバ４００ａ〜ｂは、インターネット１００２、およびコアネットワーク１００１を経由して、端末２００ａ〜ｄに対し、ビデオ配信要求に応じたビデオコンテンツを配信する。すなわち、本実施形態において、ゲートウェイ１００は、ビデオ配信サーバ４００ａ〜ｂから端末２００ａ〜ｄに対する、すべてのビデオコンテンツの配信トラフィックフローが経由する位置にある。
【００３０】
各端末２００ａ〜ｄは、任意のタイミングでビデオ配信要求を送信する。したがって、多数のビデオ配信要求が、偶然、時間的に近いタイミングで送信されることがある。このような場合には、それらのビデオ配信要求に対するビデオ配信トラフィックが、ビデオ配信サーバ４００ａ〜ｂからゲートウェイ１００を介して、コアネットワーク１００１に流れ込む。このとき、ビデオ配信トラフィックのトラフィック量（総通信量）が、コアネットワーク１００１の帯域容量を超過する場合、パケット損失および大きな通信遅延が発生する。その結果、端末２００ａ〜ｄにおけるコンテンツ再生品質が、非常に悪化するという問題が発生する。
【００３１】
本実施形態は、上述した集中的なビデオ配信トラフィックが発生した際に、ゲートウェイ１００が、コアネットワーク１００１における帯域容量超過を防ぐ場合を想定した一例である。ゲートウェイ１００は、ビデオ配信トラフィックに含まれる一部のフローに対して、帯域削減を行う。すなわち、本実施形態において、インターネット１００２を介してゲートウェイ１００に流れ込むビデオ配信トラフィックが、第１の実施形態における入力トラフィック１０に対応する。同様に、ゲートウェイ１００からコアネットワーク１００１に対して送り出されるトラフィックが、第１の実施形態における出力トラフィック１１に対応する。
【００３２】
ゲートウェイ１００は、第１の実施形態における制御装置１を基本とする。ゲートウェイ１００は、第１の実施形態に係る制御装置１を基本とする制御装置の構成要素と、ゲートウェイとしての機能を実現する図示しない各種機能部とを含む。以下、ゲートウェイ１００において制御装置１を基本とする制御装置の部分は、制御装置１００とも呼ばれる。ゲートウェイ１００における制御装置１００の構成要素は、例えば、ゲートウェイ１００におけるコアネットワーク１００１側の出力ポートに接続されてもよい。または、制御装置１００の構成要素は、コアネットワーク１００１側へ出力するトラフィックフローのうち、図示しないルーティング処理部などにより帯域容量制御の対象として転送された一部のフローの出力ポートに接続されてもよい。
【００３３】
次に、図３を参照して、ゲートウェイ（制御装置）１００の構成を説明する。図３は、本発明の第２の実施形態に係るゲートウェイ１００（制御装置）の構成を示すブロック図である。図３を参照すると、ゲートウェイ１００は、情報解析部２、削減対象選択部３、トラフィック制御部４、記憶装置５、情報収集部１０７、並びに、通信インタフェース（ＩＦ：ＩｎｔｅｒＦａｃｅ）１１０および１１１を含む。記憶装置５は、トラフィック情報６を記憶することができる。記憶装置５は、例えば、半導体メモリ装置やディスク装置により実現される。
【００３４】
本実施形態は、情報収集部１０７と通信ＩＦ１１０および１１１を含む点が第１の実施形態と異なる。
【００３５】
通信ＩＦ１１０は、コアネットワーク１００１に対する送受信を行うことができるインタフェースである。また、通信ＩＦ１１１は、インターネット１００２に対する送受信を行うことができるインタフェースである。
【００３６】
情報収集部１０７は、通信ＩＦ１１１を介してインターネット１００２から受信した入力トラフィック１０に含まれる各フローから、フローごとに、少なくとも通信量を含むヘッダ情報などのフローに関する情報を抽出する。そして、情報収集部１０７は、抽出した情報（抽出情報）を情報解析部２に対して出力する。また、情報収集部１０７は、受信した入力トラフィック１０を、トラフィック制御部４へ出力する。
【００３７】
本実施形態における情報解析部２、削減対象選択部３、およびトラフィック制御部４の各構造と内容は、以下の点を除いて、上述した第１の実施形態を基本とする。
【００３８】
まず、情報解析部２は、情報収集部１０７から得る抽出情報に基づいて、入力トラフィック１０に含まれる各フローにおける計測区間あたりの通信量を計測する。さらに、情報解析部２は、各フローの通信量に基づいて入力トラフィック１０の総通信量を算出する。そして、情報解析部２は、入力トラフィック１０の総通信量が、所定の帯域しきい値を超えるか否かに基づいて、第１の実施形態を基本とする一連のトラフィック量の削減処理の開始および終了を制御する。
【００３９】
また、削減対象選択部３は、フローごとのランキング情報の変化傾向の一例として、過去の複数の計測区間にわたるランキング情報の変化傾向（推移）を表すランキング傾き情報を算出する。本実施形態において、ランキング傾きは、一例として、時刻とランキングとを軸とするグラフにおいて、過去の２つ以上の計測区間におけるランキングを表す点を結ぶ直線の傾きとする。
【００４０】
図５は、第２の実施形態におけるランキングの推移とランキング傾きとの関係の一例を表す概念図である。図５は、縦軸にランキング（情報）を、また、横軸に計測区間を表す時刻ｔを使った、あるフローのランキング推移を表す図である。なお、縦軸においては、上方がランキングが、より高いことを表す。図５を参照すると、ランキングが上昇した区間において、ランキングの傾き２０はプラス（正）の値となる。一方、ランキングが下降した区間において、ランキングの傾き２１はマイナス（負）の値となる。すなわち、削減対象選択部３は、ランキングの傾き情報によって、過去の複数の計測区間におけるランキングの推移（上昇中または下降中）を判断することができる。
【００４１】
また、トラフィック制御部４は、情報収集部１０７で取得される入力トラフィック１０から、削減対象フローを取り出し、取り出した削減対象フローに対して帯域削減処理を行う。そして、トラフィック制御部４は、残りの入力トラフィック１０に含まれるフローと、帯域削減処理を行った削減対象フローとを合わせた出力トラフィック１１をコアネットワーク１００１に対して送信する。
【００４２】
以上、本実施形態における情報解析部２、および、トラフィック制御部４の各構造と内容は、上述した点以外は、第１の実施形態と同様であるので、重複する詳細な説明は省略する。
【００４３】
記憶装置５、およびトラフィック情報６は、上述した第１の実施形態における記憶装置、およびトラフィック情報を基本とする。記憶装置５、およびトラフィック情報６の構造と内容は、第１の実施形態と同様であるので、重複する詳細な説明は省略する。
【００４４】
次に、図４を参照して、上述した構成を備える本実施形態の動作について詳細に説明する。図４は、第２の実施形態におけるゲートウェイ（制御装置）１００の動作を示すフローチャートである。以下では、一例として、図２に示すフロー５００ａ〜５００ｄ（以下、５００ａ〜ｄと記載）が発生している場合を説明する。すなわち、入力トラフィック１０は、フロー５００ａ〜ｄという４つのフローを含む。なお、フロー５００ａは、ビデオ配信サーバ４００ａから端末２００ａへ配信されるビデオコンテンツのフローである。同様に、フロー５００ｂは、ビデオ配信サーバ４００ａから端末２００ｂへ配信されるビデオコンテンツのフローである。同様に、フロー５００ｃは、ビデオ配信サーバ４００ｂから端末２００ｃへ配信されるビデオコンテンツのフローである。同様に、フロー５００ｄは、ビデオ配信サーバ４００ｂから端末２００ｄへ配信されるビデオコンテンツのフローである。
【００４５】
まず、情報収集部１０７が、インターネット１００２を介して受信した入力トラフィック１０から各フローに関する情報を抽出する（ステップＳ１０）。一例として、情報収集部１０７は、フローごとに、少なくとも通信量を含むヘッダ情報などを抽出する。情報収集部１０７は、抽出した情報を情報解析部２に対して出力する。また、情報収集部１０７は、入力トラフィック１０をトラフィック制御部４に対して出力する。
【００４６】
情報解析部２は、情報収集部１０７から得た抽出情報を、フローごとに、計測区間にわたって解析する（ステップＳ１１）。例えば、情報解析部２は、計測区間の間、抽出情報を受ける度に、フローごとの通信量を加算する。
【００４７】
情報解析部２は、ステップＳ１１で解析した結果を、計測区間ごとのトラフィック情報６として生成し、そのトラフィック情報６を記憶装置５に蓄積する（ステップＳ１２）。具体例として、本実施形態では、トラフィック情報６は、フロー識別子情報、開始時刻情報、および通信量情報を含む。フロー識別子情報は、フローを一意に識別する情報である。開始時刻情報は、そのトラフィック情報６において計測を開始した時刻（計測区間の始まりの時刻）である。計測区間の途中でフローが開始された場合、開始時刻情報は、フローの開始時刻である。通信量情報は、フロー識別子情報に対応するフローの、計測区間における加算された通信量である。
【００４８】
以下に、計測区間Ｔｉにおけるトラフィック情報６の一例を示す。なお、以下では、トラフィック情報６の各要素の名称における末尾の「情報」という言葉は、省略されている。また、通信量の単位は、「Ｍｂｙｔｅ」とする。
【００４９】
計測区間Ｔｉにおけるトラフィック情報６：
フロー識別子＝フロー５００ａ、開始時刻＝ｔ３、通信量＝１６０
フロー識別子＝フロー５００ｂ、開始時刻＝ｔ３、通信量＝９５
フロー識別子＝フロー５００ｃ、開始時刻＝ｔ３、通信量＝１００
フロー識別子＝フロー５００ｄ、開始時刻＝ｔ３、通信量＝１７０。
【００５０】
さらに、情報解析部２は、各フローの通信量を合計することなどにより、入力トラフィック１０の総通信量を算出する。そして、情報解析部２は、入力トラフィック１０の総通信量が帯域しきい値を超えるかどうかを判定する（ステップＳ１３）。なお、帯域しきい値は、例えば、コアネットワーク１００１の帯域容量に基づいて定められていてもよい。
【００５１】
情報解析部２が入力トラフィック１０の総通信量が帯域しきい値を超えると判断した場合（ステップＳ１３のＹＥＳ）、ゲートウェイ１００は、トラフィックの削減を行う。すなわち、情報解析部２は、削減対象選択部３に対して、削減対象フローの選択を指示する。削減対象選択部３は、過去の複数の計測区間におけるフローごとのランキング情報、およびランキング傾き情報を算出（解析）する（ステップＳ１４）。
【００５２】
例えば、本実施形態では、削減対象選択部３は、過去の３つの計測区間Ｔｉ〜Ｔｉ−２におけるトラフィック情報６を対象として、解析を行うこととする。具体例として、削減対象選択部３は、計測区間Ｔｉおよび、さらに過去の２つの計測区間Ｔｉ−１およびＴｉ−２におけるトラフィック情報６を、記憶装置５から読み出す。以下に、計測区間Ｔｉ−１およびＴｉ−２におけるトラフィック情報６を、一例として示す。
【００５３】
計測区間Ｔｉ−１におけるトラフィック情報６：
フロー識別子＝フロー５００ａ、開始時刻＝ｔ２、通信量＝１２０
フロー識別子＝フロー５００ｂ、開始時刻＝ｔ２、通信量＝１３０
フロー識別子＝フロー５００ｃ、開始時刻＝ｔ２、通信量＝８５
フロー識別子＝フロー５００ｄ、開始時刻＝ｔ２、通信量＝１８０
計測区間Ｔｉ−２におけるトラフィック情報６：
フロー識別子＝フロー５００ａ、開始時刻＝ｔ１、通信量＝７０
フロー識別子＝フロー５００ｂ、開始時刻＝ｔ１、通信量＝１２０
フロー識別子＝フロー５００ｃ、開始時刻＝ｔ１、通信量＝９０
フロー識別子＝フロー５００ｄ、開始時刻＝ｔ１、通信量＝１８５。
【００５４】
まず、削減対象選択部３は、例えば、上述した計測区間Ｔｉ〜Ｔｉ−２において、トラフィック情報６の通信量が多いフローを上位とする順位（ランキング）を表す各ランキング情報を算出する。以下に、削減対象選択部３が算出したランキング情報を、計測区間が古い順に示す。なお、以下のランキング情報における順位の表記では、フロー識別子の符号部分を用いて、各フローが表される。
【００５５】
計測区間Ｔｉ−２におけるランキング情報：
１位＝５００ｄ、２位＝５００ｂ、３位＝５００ｃ、４位＝５００ａ
計測区間Ｔｉ−１におけるランキング情報：
１位＝５００ｄ、２位＝５００ｂ、３位＝５００ａ、４位＝５００ｃ
計測区間Ｔｉにおけるランキング情報：
１位＝５００ｄ、２位＝５００ａ、３位＝５００ｃ、４位＝５００ｂ。
【００５６】
次に、削減対象選択部３は、フローごとのランキング傾き情報を算出する。ランキング傾き情報は、本実施形態では、ランキングの変化傾向を傾きとして表した情報である。上述した通り、本実施形態において、ランキング傾きは、一例として、時刻とランキングとを軸とするグラフにおいて、過去の２つ以上の計測区間におけるランキングを表す点を結ぶ直線の傾きとする。２点間の直線の傾きは、例えば、（ランキングの変化量）を（時間の変化量）で割ることによって求めることができる。本実施形態において、削減対象選択部３は、一例として、連続する２つの計測区間ごとにランキング傾きを求める。すなわち、「時間」を「計測区間」として捉えると、上記の（時間の変化量）は、「１」である。したがって、ランキング傾き情報は、ランキングの変化量そのものである。
【００５７】
具体的には、例えば、ランキングが１位上がると、ランキング傾き情報は「１」である。同様に、ランキングが２位下がると、ランキング傾き情報は「−２」である。また、ランキングが変化しなかった区間については、ランキング傾き情報は「０」である。
【００５８】
上述した計測区間Ｔｉ〜Ｔｉ−２の場合、削減対象選択部３は、計測区間Ｔｉ−１〜Ｔｉ−２と、計測区間Ｔｉ〜Ｔｉ−１との２つ区間の傾きを、各フローについて求める。例えば、フロー５００ａのランキング傾き情報は、両区間とも１位ずつ上昇しているので、両区間とも「１」である。同様に、フロー５００ｂのランキング傾き情報は、「０」と「−２」である。フロー５００ｃのランキング傾き情報は、「−１」と「１」である。フロー５００ｄのランキング傾き情報は、両区間とも１位のままであったので、両区間とも「０」である。
【００５９】
次に、削減対象選択部３は、ランキング傾き情報に基づいて、帯域削減対象とするフロー（削減対象フロー）を選択する（ステップＳ１５）。削減対象選択部３は、一例として、複数のランキング傾きを合計した値によって、最もランキングの上昇傾向が高いフローを評価する。すなわち、削減対象選択部３は、まず、フローごとに、２つのランキング傾き情報を合計する。具体的には、フロー５００ａ〜ｄのランキング傾き情報の各合計は、順に、「２」、「−２」、「０」、および「０」である。そして、削減対象選択部３は、その合計が最も大きいフロー５００ａを、削減対象フローとして選択する。このようにして、削減対象選択部３は、フロー５００ａをもたらすアクセスが継続的に増加していることを認識し、そのフロー５００ａを削減対象フローとして選択することができる。削減対象選択部３は、トラフィック制御部４に対して、選択した削減対象フローを示すフロー識別子を通知する。
【００６０】
次に、トラフィック制御部４は、選択された削減対象フローに対する帯域削減処理を行う（ステップＳ１６）。トラフィック制御部４は、ステップＳ１０において、情報収集部１０７から得た入力トラフィック１０から削減対象フローを取り出し、取り出したフローに対して帯域削減処理を行う。例えば、トラフィック制御部４は、フロー５００ａに対して、トランスコーディングなどによるトラフィック圧縮を行ってもよい。
【００６１】
次に、トラフィック制御部４は、帯域削減処理によって削減された通信量が、帯域削減の目標量（以下、「帯域削減目標量」と言う）に達したかどうかを判断する（ステップＳ１７）。帯域削減目標量は、入力トラフィック１０の総通信量と、帯域しきい値（ステップＳ１３）との差である。
【００６２】
帯域削減目標量に達しなかった場合（ステップＳ１７のＮＯ）、トラフィック制御部４は、削減対象選択部３に対して、次の削減対象フローを追加することを指示する。この後、削減対象選択部３は、ステップＳ１５に戻る。そして、削減対象選択部３は、既に選択されたフローを除いた残りのフローから、次の（新たな）削減対象フローを選択する。帯域削減目標量に達するまで、ステップＳ１５〜Ｓ１７の処理が繰り返される。
【００６３】
帯域削減目標量に達した場合（ステップＳ１７のＹＥＳ）、トラフィック制御部４は、帯域削減処理を行った削減対象フローと、入力トラフィック１０に含まれる残りのフローとを合わせた出力トラフィック１１として、通信ＩＦ１１０を介して送信する。その後の処理は、ステップＳ１０に戻る。そして、このような帯域削減処理は、ステップＳ１３において入力トラフィック１０の総通信量が帯域しきい値以下になると判定されるまで繰り返される。その間、トラフィック制御部４は、削減対象フローの指定が解除されるか、または、別の削減対象フローが指定されるまで、削減対象フローに対する帯域削減処理から出力トラフィック１１の送信までを継続的に実行してもよい。
【００６４】
なお、ステップＳ１５〜Ｓ１７の繰り返しの際、既に削減対象フローとして選択されたフロー（先行削減対象フロー）がある場合、ステップＳ１６において、トラフィック制御部４は、その先行削減対象フローに対しても帯域削減処理を行ってもよい。または、ステップＳ１５において、先行削減対象フローに対する帯域削減を行っても帯域削減目標量に達しない場合に、削減対象選択部３は、新たな削減対象フローを選択するように動作してもよい。または、ステップＳ１５において、先行削減対象フローの通信量が所定のしきい値を下回るなどの所定条件を満たした場合、削減対象選択部３は、新たな削減対象フローを選択するとともに、先行削減対象フローの指定を解除してもよい。
【００６５】
入力トラフィック１０の総通信量が帯域しきい値以下になった場合（ステップＳ１３のＮＯ）、情報解析部２は、削減対象フローがあれば、その帯域削減の指定を解除する（ステップＳ２０）。すなわち、情報解析部２は、削減対象フローおよび上述した先行削減対象フローを含めて、すべての帯域削減処理を止めるようにトラフィック制御部４に対して指示してもよい。
【００６６】
以上説明したように、本実施形態によれば、トラフィック量の変動に対して、ネットワークの帯域容量を超えるトラフィック量を、早期に削減することができるという効果がある。
【００６７】
その理由は、削減対象選択部３は、通信量のランキングが上昇傾向のフローを、トラフィックを削減する削減対象フローとして選択するからである。
【００６８】
例えば、背景技術欄で上述した特許文献１の方法では、削減対象フローとして、直近の計測区間Ｔｉにおいて通信量が最も大きいフローであるフロー５００ｄが選択される。しかし、本実施形態における削減対象選択部３は、現在までの通信量においては、まだ最大ではないが、ランキングの上昇傾向が最も高く、通信量が近い将来において最大となる可能性が予測されるフロー５００ａを、削減対象フローとして選択することができる。もし、フロー５００ａのランキング上昇が続いた結果、次の計測区間Ｔｉ＋１において、フロー５００ａがランキング１位となった場合、特許文献１の方法では、本実施形態に遅れて、次の計測区間になってからフロー５００ａが選択される。
【００６９】
本実施形態における削減対象選択部３は、フロー５００ａのランキングの上昇傾向に基づいて、通信量が最大になることを予測するので、削減対象選択部３は、通信量が最大になる少し前から、フロー５００ａを帯域削減処理の対象とすることができる。この結果、本実施形態は、特許文献１に比べて、より早くトラフィックの変動に対応することが期待できる。
【００７０】
（第２の実施形態の変形例）
なお、本実施形態の変形例としては以下のようなものが考えられる。
【００７１】
例えば、同じトラフィック傾向のフローをグループ化したフローグループごとに制御することにより、さらにトラフィック変動の予測精度が高い帯域削減処理が可能となる。この変形例においては、情報収集部１０７は、フローごとに、通信量に加えて、グループ化の指標となる情報（指標情報）を収集する。例えば、情報収集部１０７は、「スポーツ」または「映画」などのコンテンツ種別を取得してもよい。さらに、情報解析部２は、指標情報に基づいて、各フローをフローグループにグループ分けする。例えば、同じコンテンツ種別のフローを同じフローグループとしてもよい。情報解析部２は、各フローのトラフィック情報６にフローグループを表すフローグループ情報を含めて生成する。
【００７２】
そして、削減対象選択部３は、先に選択された削減対象フローのフローグループに基づいて、追加の削減対象フローを選択する。例えば、ステップＳ１７（図４）において、帯域削減目標量に達しなかった場合などに、削減対象選択部３は、追加の削減対象フローとして、先に選ばれた削減対象フローと同じフローグループに属するフローを選択してもよい。または、例えば、先行削減対象フローがある場合に、削減対象選択部３は、ステップＳ１５において、ランキング傾きによらず、先行削減対象フローと同じフローグループのフローを選択してもよい。すなわち、削減対象選択部３は、同じトラフィック傾向があるとわかっているフローグループに対して、同じトラフィック傾向が計測されるまで待たずに、早期に帯域削減対象として選択することができる。
【００７３】
コンテンツ配信サービスにおいては、例えば、「スポーツ」のような同種のコンテンツに対して、集中的なアクセスが多発する現象はよく見られる。この変形例によれば、そのようなアクセス集中現象に対して、精度良く対応できることが期待できる。
【００７４】
また、他の変形例として、フローを要求した端末２００ａ〜ｄの環境条件などに応じて、削減対象フローを選択することにより、選択的な帯域削減処理が可能となる。この変形例においては、情報収集部１０７は、フローごとに、通信量に加えて、端末の環境など、各フローの要求元に関する分類情報を収集する。例えば、情報収集部１０７は、端末の位置情報、またはデバイス名を取得してもよい。さらに、情報解析部２は、情報収集部１０７が収集した分類情報を、トラフィック情報６に加えて生成する。
【００７５】
そして、ステップＳ１５において、削減対象選択部３は、削減対象フローを選択する際に、各フローを分類情報に基づいて分類する。さらに、削減対象選択部３は、同じ分類に含まれるフローのランキング傾き情報（ランキング情報の変化傾向）を集計する。削減対象選択部３は、集計されたランキング傾き情報に基づいて、同じ分類に含まれるフローをまとめて削減対象フローとして選択する。
【００７６】
例えば、削減対象選択部３は、位置情報が同じまたは近い位置を示している全フローのランキング傾きを合計してもよい。そして、削減対象選択部３は、最もランキング傾きの合計が大きい位置情報に関連するフローを削減対象フローとして、まとめて選択してもよい。このようにすれば、局所的なトラフィック帯域削減を実施することができるという効果がある。
【００７７】
また、例えば、削減対象選択部３は、同じデバイス名として分類された全フローのランキング傾きを合計してもよい。そして、削減対象選択部３は、最もランキング傾きの合計が大きいデバイス名のフローを削減対象フローとしてまとめて選択してもよい。このようにすれば、特定のデバイスに対するトラフィック帯域削減を実施することができるという効果がある。
【００７８】
また、他の変形例として、以下のようなものも考えられる。
【００７９】
例えば、本実施形態は、効果的な説明のために、インターネット１００２からコアネットワーク１００１へ流れる片方向のトラフィックを対象としたが、本実施形態は、双方向のトラフィックに対して同時並行的に制御する形態としても適用できる。
【００８０】
また、例えば、図４のフローチャートに示した一部の動作の順番および実行主体は、入れ替えることができる。入力トラフィック１０の総通信量が帯域しきい値を超えるかどうか（ステップＳ１３）という判断の動作は、例えば、情報収集部１０７が、ステップＳ１０で通信量の情報を得た後に行ってもよい。また、帯域削減対象フローの帯域削減処理（ステップＳ１６）の前に、削減対象選択部３が、帯域削減量の見込みに基づいて、帯域削減目標量に達するか（ステップＳ１７）を判断してもよい。
【００８１】
また、例えば、ランキング傾き情報は、ランキングの変化率など、ランキングの変化傾向を表す情報であれば、上述した以外の情報でもよい。
【００８２】
なお、上述した第２の実施形態の各変形例は、第１の実施形態を基本とした変形例として適用することも可能である。例えば、情報収集部１０７が行う動作は、情報解析部２などが行えばよい。
【００８３】
（ハードウェア構成例）
なお、上述した各実施形態において図１乃至図３に示した各部は、それぞれ独立したハードウェア回路で構成されていてもよいし、ソフトウェアプログラムの機能（処理）単位（ソフトウェアモジュール）と捕らえることができる。ただし、これらの図面に示した各部の区分けは、説明の便宜上の構成であり、実装に際しては、様々な構成が想定され得る。このような場合のハードウェア環境の一例を、図６を参照して説明する。
【００８４】
図６は、本発明の各実施形態、および、その変形例に係る通信システムに適用可能なコンピュータ（情報処理装置）の構成を例示する図である。すなわち、図６は、上述した各実施形態における制御装置１、ゲートウェイ（制御装置）１００、端末２００ａ〜ｄ、およびビデオ配信サーバ４００ａ〜ｂの少なくとも何れかを実現可能なコンピュータの構成であって、上述した各実施形態における各機能を実現可能なハードウェア環境を示す。
【００８５】
図６に示したコンピュータ９００は、ＣＰＵ（Ｃｅｎｔｒａｌ  Ｐｒｏｃｅｓｓｉｎｇ  Ｕｎｉｔ）９０１、ＲＯＭ（Ｒｅａｄ  Ｏｎｌｙ  Ｍｅｍｏｒｙ）９０２、ＲＡＭ（Ｒａｎｄｏｍ  Ａｃｃｅｓｓ  Ｍｅｍｏｒｙ）９０３、通信インタフェース（ＩＦ）９０４、ディスプレイ９０５、およびハードディスク装置（ＨＤＤ）９０６を備え、これらがバス９０７を介して接続された構成を有する。なお、図６に示したコンピュータが制御装置１、ゲートウェイ（制御装置）１００、端末２００ａ〜ｄ、およびビデオ配信サーバ４００ａ〜ｂとして機能する場合、ディスプレイ９０５は常時設けられる必要はない。
【００８６】
また、通信インタフェース９０４は、上述した各実施形態において、当該各コンピュータ間における通信を実現する一般的な通信手段である。ハードディスク装置９０６には、プログラム群９０６Ａと、各種の記憶情報９０６Ｂとが格納されている。プログラム群９０６Ａは、例えば、上述した図１乃至図３に示した各ブロック（各部）に対応する機能を実現するためのコンピュータ・プログラムである。各種の記憶情報９０６Ｂは、例えば、図３に示したトラフィック情報６などである。このようなハードウェア構成において、ＣＰＵ９０１は、コンピュータ９００の全体の動作を司る。
【００８７】
そして、上述した各実施形態を例に説明した本発明は、各実施形態の説明において参照したブロック構成図（図１乃至図３）あるいはフローチャート（図４）の機能を実現可能なコンピュータ・プログラムを供給した後、そのコンピュータ・プログラムを、当該ハードウェアのＣＰＵ９０１に読み出して実行することによって達成される。また、このコンピュータ内に供給されたコンピュータ・プログラムは、読み書き可能な一時記憶メモリであるＲＡＭ９０３またはハードディスク装置９０６などの不揮発性の記憶デバイス（記憶媒体）に格納すれば良い。
【００８８】
また、前記の場合において、当該各装置内へのコンピュータ・プログラムの供給方法は、フロッピーディスク（登録商標）やＣＤ−ＲＯＭ（Ｃｏｍｐａｃｔ  Ｄｉｓｃ−ＲＯＭ）等の各種記録媒体を介して当該装置内にインストールする方法や、インターネット等の通信ネットワーク１０００を介して外部よりダウンロードする方法等のように、現在では一般的な手順を採用することができる。そして、このような場合において、本発明は、係るコンピュータ・プログラムを構成するコード、或いは係るコードが記録されたところの、コンピュータ読み取り可能な記憶媒体によって構成されると捉えることができる。
【００８９】
なお、上述した実施形態の一部または全部は、以下の付記のようにも記載されうるが、以下の付記に限定されるものではない。
【００９０】
（付記１）
入力トラフィックに含まれる各フローにおける計測区間あたりの通信量を計測する計測処理を行い、少なくとも、計測した前記フローごとの前記通信量および計測した時刻を表す情報を含むトラフィック情報を生成する情報解析手段と、
前記トラフィック情報に基づいて、前記計測区間ごとに、前記入力トラフィックにおける前記各フローの通信量の順位であるランキングを表すランキング情報を生成し、過去の複数の計測区間にわたるランキング情報の変化傾向に基づいて、前記ランキングが特定の方向に変化する傾向のフローを、通信量を削減する対象である削減対象フローとして選択する削減対象選択手段と、
前記削減対象フローに対して、通信量を削減する削減処理を行い、前記削減処理を行った前記削減対象フローを、前記入力トラフィックに含まれる他のフローと共に出力トラフィックとして送信するトラフィック制御手段と
を含む制御装置。
【００９１】
（付記２）
前記削減対象選択手段は、前記ランキング情報の変化傾向として、過去の複数の計測区間におけるランキングの変化量を時間の変化量で割ることによって求められるランキング傾き情報を算出し、前記ランキング傾き情報に基づいて、前記削減対象フローを選択する
付記１記載の制御装置。
【００９２】
（付記３）
第１のネットワークから受信した前記入力トラフィックに含まれる前記フローごとに、少なくとも前記通信量を含む、各フローに関する情報を抽出し、抽出した前記各フローに関する情報を前記情報解析手段に対して出力する情報収集手段をさらに含み、
前記情報解析手段は、前記各フローに関する情報に基づいて、前記計測処理を行い、前記入力トラフィックの総通信量が所定の帯域しきい値を超えるか否かに基づいて、前記削減対象選択手段および前記トラフィック制御手段の動作の開始および終了を制御し、
前記削減対象選択手段は、前記削減処理によって削減された通信量が、前記総通信量と前記所定の帯域しきい値との差である帯域削減目標量に達するまで、新たな削減対象フローの追加を行い、
前記トラフィック制御手段は、前記削減対象選択手段が追加した前記新たな削減対象フローも、前記削減処理および前記出力トラフィックの対象として含め、第２のネットワークに対して、前記出力トラフィックの送信を行う
付記１または２記載の制御装置。
【００９３】
（付記４）
前記情報収集手段は、前記各フローに関する情報として、グループ化の指標となる情報である指標情報を加えて収集し、
前記情報解析手段は、前記指標情報に基づいて、前記各フローをフローグループにグループ分けし、前記トラフィック情報に前記フローグループを表すフローグループ情報を含めて生成し、
前記削減対象選択手段は、先に選択された前記削減対象フローのフローグループ情報に基づいて、前記新たな削減対象フローを選択する
付記３記載の制御装置。
【００９４】
（付記５）
前記情報収集手段は、前記指標情報として、コンテンツ種別を収集する
付記４記載の制御装置。
【００９５】
（付記６）
前記情報収集手段は、前記各フローに関する情報として、各フローの要求元に関する分類情報を加えて収集し、
前記削減対象選択手段は、前記ランキング情報の変化傾向として、過去の複数の計測区間におけるランキングの変化量を時間の変化量で割ることによって求められるランキング傾き情報を算出し、前記削減対象フローを選択する際に、前記分類情報に基づいて前記各フローを分類し、同じ分類に含まれるフローごとの前記ランキング傾き情報を集計した結果に基づいて、同じ分類に含まれるフローをまとめて前記削減対象フローとして選択する
付記３乃至５のいずれか１つに記載の制御装置。
【００９６】
（付記７）
入力トラフィックに含まれる各フローにおける計測区間あたりの通信量を計測する計測処理を行い、
少なくとも、計測した前記フローごとの前記通信量および計測した時刻を表す情報を含むトラフィック情報を生成し、
前記トラフィック情報に基づいて、前記計測区間ごとに、前記入力トラフィックにおける前記各フローの通信量の順位であるランキングを表すランキング情報を生成するランキング情報生成処理を行い、
過去の複数の計測区間にわたるランキング情報の変化傾向に基づいて、前記ランキングが特定の方向に変化する傾向のフローを、通信量を削減する対象である削減対象フローとして選択する選択処理を行い、
前記削減対象フローに対して、通信量を削減する削減処理を行い、
前記削減処理を行った前記削減対象フローを、前記入力トラフィックに含まれる他のフローと共に出力トラフィックとして送信する送信処理を行う
トラフィック制御方法。
【００９７】
（付記８）
前記選択処理において、前記ランキング情報の変化傾向として、過去の複数の計測区間におけるランキングの変化量を時間の変化量で割ることによって求められるランキング傾き情報を算出し、前記ランキング傾き情報に基づいて、前記削減対象フローを選択する
付記７記載のトラフィック制御方法。
【００９８】
（付記９）
前記計測処理において、
第１のネットワークから受信した前記入力トラフィックに含まれる前記フローごとに、少なくとも前記通信量を含む、各フローに関する情報を抽出し、
抽出した前記各フローに関する情報に基づいて、前記各フローにおける計測区間あたりの通信量の計測を行い、
前記トラフィック情報の生成後に、前記入力トラフィックの総通信量が所定の帯域しきい値を超えるか否かに基づいて、前記ランキング情報生成処理から、前記削減処理までの処理の開始および終了を制御し、
前記送信処理の前に、前記削減処理によって削減された通信量が、前記総通信量と前記所定の帯域しきい値との差である帯域削減目標量に達するまで、新たな削減対象フローを選択する前記選択処理と、前記新たな削減対象フローも通信量の削減対象とする前記削減処理とを行い、
前記送信処理において、前記削減処理を行った前記新たな削減対象フローも含む前記出力トラフィックを、第２のネットワークに対して送信する
付記７または８記載のトラフィック制御方法。
【００９９】
（付記１０）
前記計測処理において、
前記各フローに関する情報として、グループ化の指標となる情報である指標情報を加えて収集し、
前記指標情報に基づいて、前記各フローをフローグループにグループ分けし、
前記トラフィック情報の生成の際に、前記トラフィック情報に前記フローグループを表すフローグループ情報を含めて生成し、
前記新たな削減対象フローを選択する選択処理において、
先に選択された前記削減対象フローのフローグループ情報に基づいて、前記新たな削減対象フローを選択する
付記９記載のトラフィック制御方法。
【０１００】
（付記１１）
前記計測処理において、前記指標情報として、コンテンツ種別を収集する
付記１０記載のトラフィック制御方法。
【０１０１】
（付記１２）
前記計測処理において、前記各フローに関する情報として、各フローの要求元に関する分類情報を加えて収集し、
前記選択処理において、
前記ランキング情報の変化傾向として、過去の複数の計測区間におけるランキングの変化量を時間の変化量で割ることによって求められるランキング傾き情報を算出し、
前記分類情報に基づいて前記各フローを分類し、
同じ分類に含まれるフローの前記ランキング傾き情報を集計した結果に基づいて、同じ分類に含まれるフローをまとめて前記削減対象フローとして選択する
付記９乃至１１のいずれか１つに記載のトラフィック制御方法。
【０１０２】
（付記１３）
入力トラフィックに含まれる各フローにおける計測区間あたりの通信量を計測する計測処理を行い、少なくとも、計測した前記フローごとの前記通信量および計測した時刻を表す情報を含むトラフィック情報を生成する情報解析処理と、
前記トラフィック情報に基づいて、前記計測区間ごとに、前記入力トラフィックにおける前記各フローの通信量の順位であるランキングを表すランキング情報を生成するランキング情報生成処理と、
過去の複数の計測区間にわたるランキング情報の変化傾向に基づいて、前記ランキングが特定の方向に変化する傾向のフローを、通信量を削減する対象である削減対象フローとして選択する選択処理と、
前記削減対象フローに対して、通信量を削減する削減処理と、
前記削減処理を行った前記削減対象フローを、前記入力トラフィックに含まれる他のフローと共に出力トラフィックとして送信する送信処理と
をコンピュータに実行させるコンピュータ・プログラムを記録する記録媒体。
【０１０３】
（付記１４）
前記選択処理において、前記ランキング情報の変化傾向として、過去の複数の計測区間におけるランキングの変化量を時間の変化量で割ることによって求められるランキング傾き情報を算出し、前記ランキング傾き情報に基づいて、前記削減対象フローの選択を行う
付記１３記載のコンピュータ・プログラムを記録する記録媒体。
【０１０４】
（付記１５）
前記情報解析処理において、
第１のネットワークから受信した前記入力トラフィックに含まれる前記フローごとに、少なくとも前記通信量を含む、各フローに関する情報を抽出し、
抽出した前記各フローに関する情報に基づいて、前記計測処理を行い、
前記トラフィック情報の生成後に、前記入力トラフィックの総通信量が所定の帯域しきい値を超えるか否かに基づいて、前記ランキング情報生成処理から、前記削減処理までの処理の開始および終了を制御し、
前記送信処理の前に、前記削減処理によって削減された通信量が、前記総通信量と前記所定の帯域しきい値との差である帯域削減目標量に達するまで、新たな削減対象フローを選択する前記選択処理と、前記新たな削減対象フローも通信量の削減対象とする前記削減処理とを行い、
前記送信処理において、前記削減処理を行った前記新たな削減対象フローも含む前記出力トラフィックを、第２のネットワークに対して送信する
付記１３または１４記載のコンピュータ・プログラムを記録する記録媒体。
【０１０５】
（付記１６）
前記情報解析処理において、
前記各フローに関する情報として、グループ化の指標となる情報である指標情報を加えて収集し、
前記指標情報に基づいて、前記各フローをフローグループにグループ分けし、
前記トラフィック情報の生成の際に、前記トラフィック情報に前記フローグループを表すフローグループ情報を含めて生成し、
前記新たな削減対象フローを選択する前記選択処理において、
先に選択された前記削減対象フローのフローグループ情報に基づいて、前記新たな削減対象フローを選択する
付記１５記載のコンピュータ・プログラムを記録する記録媒体。
【０１０６】
（付記１７）
前記情報解析処理において、前記指標情報として、コンテンツ種別を収集する
付記１６記載のコンピュータ・プログラムを記録する記録媒体。
【０１０７】
（付記１８）
前記情報解析処理において、前記各フローに関する情報として、各フローの要求元に関する分類情報を加えて収集し、
前記選択処理において、
前記ランキング情報の変化傾向として、過去の複数の計測区間におけるランキングの変化量を時間の変化量で割ることによって求められるランキング傾き情報を算出し、
前記分類情報に基づいて前記各フローを分類し、
同じ分類に含まれるフローの前記ランキング傾き情報を集計した結果に基づいて、同じ分類に含まれるフローをまとめて前記削減対象フローとして選択する
付記１５乃至１７のいずれか１つに記載のコンピュータ・プログラムを記録する記録媒体。
【０１０８】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【０１０９】
この出願は、２０１５年２月２７日に出願された日本出願特願２０１５−０３７７３２を基礎とする優先権を主張し、その開示の全てをここに取り込む。
【符号の説明】
【０１１０】
１    制御装置
２    情報解析部
３    削減対象選択部
４    トラフィック制御部
５    記憶装置
６    トラフィック情報
１０    入力トラフィック
１１    出力トラフィック
１００    ゲートウェイ（制御装置）
１０７    情報収集部
１１０、１１１    通信インタフェース（ＩＦ）
２００ａ〜２００ｄ    端末
３００ａ〜３００ｂ    無線基地局
４００ａ〜４００ｂ    ビデオ配信サーバ
９００    情報処理装置（コンピュータ）
９０１    ＣＰＵ
９０２    ＲＯＭ
９０３    ＲＡＭ
９０４    通信インタフェース（ＩＦ）
９０５    ディスプレイ
９０６    ハードディスク装置（ＨＤＤ）
９０６Ａ    プログラム群
９０６Ｂ    各種の記憶情報
９０７    バス
１０００    ネットワーク（通信ネットワーク）
１００１    コアネットワーク（第２のネットワーク）
１００２    インターネット（第１のネットワーク）
【図１】
2016136215.tif 000003
【図２】
2016136215.tif 000004
【図３】
2016136215.tif 000005
【図４】
2016136215.tif 000006
【図５】
2016136215.tif 000007
【図６】
2016136215.tif 000008
【国際調査報告】
2016136215.tif 000009
2016136215.tif 000010